(57)【要約】シース（１０）は、先端部に隣接する長尺状シャフト（２０）とその管腔とを有する。コイルアセンブリーは、管腔を規定する第１コイル（２２）を含む。第１コイルは第１方向に巻かれ、第２コイル（２４）は第２方向に巻かれている。第２コイルは第１コイルの周りに配置されている。コイルアセンブリーはシャフトの先端部に取り付け可能であり、シャフトの管腔は第１コイルの管腔と流体連通している。
2007521882.tif 000002
【特許請求の範囲】
【請求項１】
塞栓症予防シースであって、
基端部、先端部、及びその間に伸びる管腔を有する長尺状シャフトと、
第１方向に巻かれ、及び管腔を画定する第１コイルと、第１コイルの周りに配置され、第２方向に巻かれた第２コイルとからなるコイルアセンブリーとを備え、
前記コイルアセンブリーは前記シャフトの先端部に取り付けられ、かつ前記シャフトの管腔は第１コイルの管腔と流体連通している、塞栓症予防シース。
【請求項２】
前記第１コイルがマルチフィラーである、請求項１に記載のシース。
【請求項３】
前記第２コイルがマルチフィラーである、請求項１に記載のシース。
【請求項４】
前記第１コイル及び第２コイルがマルチフィラーである、請求項１に記載のシース。
【請求項５】
前記第１コイルは円形断面を有したワイヤからなる、請求項１に記載のシース。
【請求項６】
前記第２コイルは円形断面を有したワイヤからなる、請求項１に記載のシース。
【請求項７】
前記第１コイル及び第２コイルは円形断面を有したワイヤからなる、請求項１に記載のシース。
【請求項８】
前記第１コイルは略長方形断面を有したワイヤからなる、請求項１に記載のシース。
【請求項９】
前記第２コイルは略長方形断面を有したワイヤからなる、請求項１に記載のシース。
【請求項１０】
前記第１コイル及び第２コイルは略長方形断面を有したワイヤからなる、請求項１に記載のシース。
【請求項１１】
前記コイルアセンブリーは基端テーパー部を有する、請求項１に記載のシース。
【請求項１２】
前記コイルアセンブリーがポリマーコートされている、請求項１に記載のシース。
【請求項１３】
前記コイルアセンブリーがシャフトに熱接着されている、請求項１に記載のシース。
【請求項１４】
前記第１コイルがポリマーコートワイヤからなる、請求項１に記載のシース。
【請求項１５】
前記第２コイルがポリマーコートワイヤからなる、請求項１に記載のシース。
【請求項１６】
塞栓症予防シースであって、
基端部、先端部、及びその間に伸びる管腔を有する長尺状シャフトと、
第１方向に巻かれて管腔を画定する第１コイルと、第１コイルの周りに配置され第２方向に巻かれた第２コイルとを含むコイルアセンブリーと、
前記コイルアセンブリーは前記シャフトの先端部に取り付けられ、かつ前記シャフトの管腔が第１コイルの管腔と流体連通していることと、
長尺状ワイヤ及び該長尺状ワイヤに取り付けられたフィルターを備える塞栓症予防デバイスと、前記長尺状ワイヤが少なくとも部分的にシャフト管腔内に配置されていることとを備える、塞栓症予防シース。
【請求項１７】
前記第１コイルがマルチフィラーである、請求項１６に記載のシース。
【請求項１８】
前記第２コイルがマルチフィラーである、請求項１６に記載のシース。
【請求項１９】
前記第１コイル及び第２コイルがマルチフィラーである、請求項１６に記載のシース。
【請求項２０】
前記第１コイルが円形断面を有したワイヤからなる、請求項１６に記載のシース。
【請求項２１】
前記第２コイルが円形断面を有したワイヤからなる、請求項１６に記載のシース。
【請求項２２】
前記第１コイル及び第２コイルが円形断面を有したワイヤからなる、請求項１６に記載のシース。
【請求項２３】
前記第１コイルが略長方形断面を有したワイヤからなる、請求項１６に記載のシース。
【請求項２４】
前記第２コイルが略長方形断面を有したワイヤからなる、請求項１６に記載のシース。
【請求項２５】
前記第１コイル及び第２コイルが略長方形断面を有したワイヤからなる、請求項１６に記載のシース。
【請求項２６】
前記コイルアセンブリーが基端テーパー部を有する、請求項１６に記載のシース。
【請求項２７】
前記コイルアセンブリーがポリマーコートされている、請求項１６に記載のシース。
【請求項２８】
前記コイルアセンブリーがシャフトに熱接着されている、請求項１６に記載のシース。
【請求項２９】
前記第１コイルがポリマーコートワイヤからなる、請求項１６に記載のシース。
【請求項３０】
前記第２コイルがポリマーコートワイヤからなる、請求項１６に記載のシース。
【請求項３１】
塞栓症予防シースであって、
第１方向に巻かれて管腔を画定する第１コイルと、第１コイルの周りに配置され第２方向に巻かれた第２コイルとからなるコイルアセンブリーと、該コイルアセンブリーは前記シャフトの先端部に取り付けられ、かつ前記シャフトの管腔は第１コイルの管腔と流体連通していることと、
長尺状ワイヤ及び該長尺状ワイヤに取り付けられたフィルターを備える塞栓症予防デバイスと、前記長尺状ワイヤが少なくとも部分的にシャフト管腔内に配置されていることとを備える塞栓症予防シース。
【請求項３２】
前記第１コイルがマルチフィラーである、請求項３１に記載のシース。
【請求項３３】
前記第２コイルがマルチフィラーである、請求項３１に記載のシース。
【請求項３４】
前記第１コイル及び第２コイルがマルチフィラーである、請求項３１に記載のシース。
【請求項３５】
前記第１コイルが円形断面を有したワイヤからなる、請求項３１に記載のシース。
【請求項３６】
前記第２コイルが円形断面を有したワイヤからなる、請求項３１に記載のシース。
【請求項３７】
前記第１コイル及び第２コイルが円形断面を有したワイヤからなる、請求項３１に記載のシース。
【請求項３８】
前記第１コイルが略長方形断面を有したワイヤからなる、請求項３１に記載のシース。
【請求項３９】
前記第２コイルが略長方形断面を有したワイヤからなる、請求項３１に記載のシース。
【請求項４０】
前記第１コイル及び第２コイルが略長方形断面を有したワイヤからなる、請求項３１に記載のシース。
【請求項４１】
前記コイルアセンブリーが、第１直径セクションと、第１直径セクションより大きい直径を有する第２直径セクションとを有する、請求項３１に記載のシース。
【請求項４２】
前記コイルアセンブリーがポリマーコートされている、請求項３１に記載のシース。
【請求項４３】
前記第１コイルがポリマーコートワイヤからなる、請求項３１に記載のシース。
【請求項４４】
前記第２コイルがポリマーコートワイヤからなる、請求項３１に記載のシース。
【発明の詳細な説明】
【技術分野】
【０００１】
本発明は、一般的には塞栓症予防分野に関する。より典型的には、本発明は、塞栓症予防フィルターのデリバリーまたは回収に用いられるシースに関する。
【背景技術】
【０００２】
例えば塞栓症予防フィルターなどの血管内デバイスは、通常、例えば、経皮経管冠動脈形成術（ＰＣＴＡ）、経皮吸引型アテレクトミーまたはステントデリバリーなどの治療処置中に除去された塞栓破片を濾過するために、血管または動脈の内腔内に配置される。除去された塞栓破片を濾過するために、塞栓症予防フィルターを治療デバイス（例えば、血管形成またはアテレクトミーカテーテル）の先端側に配置し、患者の血管または動脈内に拡張配置し得る。このフィルターは、多くの場合、デリバリーシースに入れて標的部位に送達し、回収シースを用いて抜出する。
【０００３】
本発明は、一般的には塞栓症予防フィルター分野に関する。１つの例示的実施形態において、デリバリーまたは回収シースには、塞栓症予防フィルターを配置する前に、逆巻きコイルアセンブリーを組み込み得る。１つの実施形態において、逆巻きコイルアセンブリーはシャフトの先端部に配置される。１つの代替実施形態においては、逆巻きコイルアセンブリーは、実質的にデリバリーまたは回収シースの全長にわたって伸びる。
【発明を実施するための最良の形態】
【０００４】
以下の説明は図面を参照して読むべきであり、異なる図面中の同じ要素は同じ番号を用いて示されている。必ずしも実物大ではない図面は、選択された実施形態を示すものであって、本発明の範囲を限定するものではない。さまざまな要素に関する構成、寸法、材料及び製造プロセスの実施例が例示されているが、示されている実施例の多くは利用し得る適当な代替例を有することが当業者には分るであろう。
【０００５】
図１は、塞栓症予防回収またはデリバリーシース１０の先端部の断面図である。通常、シース１０の先端部は、回収シースではなくデリバリーシースとして設計された場合には、小ＩＤ及びＯＤを有するであろう。デリバリーシース１０内には、例えば塞栓症予防フィルターなどの塞栓症予防デバイス１２が配置される。塞栓症予防デバイス１２は、シース１０内に配置されているときには圧縮状態にあり、シース１０から外に配置されているときには拡張状態にあるタイプのものであり得る。塞栓症予防デバイス１２は、例えば、ガイドワイヤシャフトなどの長尺状シャフト１４と、フィルター材料１８を支持する複数のストラット１６とを具備し得る。
【０００６】
シース１０は、管腔２１を規定する長尺状シャフト２０を含み得る。長尺状シャフト２０の先端部には、内側コイル２２と外側コイル２４を配置し得る。内側コイル２２と外側コイル２４は、内側チューブ２６と外側チューブ２８の間にはさみ得る。コイル２２，２４は、図２に示すように、逆巻きのマルチフィラーであり得る。コイル２２，２４の形成に用いられるワイヤは、例えば円形または長方形などのさまざまな断面を有し得る。コイル２２，２４は、３０で示すように基端方向にテーパーさせ得る。内側チューブ２６及び外側チューブ２８は、ポリマーコーティングまたはシャフト２０に接着させた熱収縮ポリマーであり得る。内側コイル２２及び外側コイル２４を構成するワイヤも個別にポリマーコートし得る。
【０００７】
シャフト２０は、例えば、ポリプロピレン（ＰＰ）、ポリ塩化ビニル（ＰＶＣ）、ポリテトラフルオロエチレン（ＰＴＦＥ）、ポリエーテルブロックアミド（ＰＥＢＡ）などの
ポリマー材料または他の適当な材料から形成し得る。シャフト１４、ストラット１６、フィルター材料１８、内側コイル２２及び外側コイル２４は、それぞれ、例えば、ステンレススチール、白金、ニッケル−チタン合金または他の適当な金属などの金属材料から形成し得る。フィルター１８の場合、金属はワイヤーメッシュ形態であり得る。あるいは、フィルター１８は、例えば、ポリプロピレン（ＰＰ）、ポリウレタン、ポリエチレンテレフタレート、ポリエーテル−エーテルケトン（ＰＥＥＫ）、ポリエーテルブロックアミド（ＰＥＢＡ）、ポリアミド（ナイロン）、ポリ塩化ビニル（ＰＶＣ）、ポリテトラフルオロエチレン（ＰＴＦＥ）またはそれらの任意の混合物、ブレンドもしくは組み合せなどのポリマー材料、あるいは他の適当な材料でできた微孔質膜を含み得る。
【０００８】
本発明のいくつかの実施形態を説明してきたが、当業者は、本明細書に添付されている特許請求の範囲内に包含される他の実施形態を作成して使用し得ることが容易に分るであろう。上記説明には、本文書の適用を受ける本発明の多くの利点が示されている。当然のことながら、本開示は多くの点で例示に過ぎない。本発明の範囲を逸脱することなく、細部、特に、部品の形状、サイズ及び配置の点で変更が可能である。
【図面の簡単な説明】
【０００９】
【図１】塞栓症予防フィルターを入れた逆巻きコイルアセンブリーを収容しているシース先端部の断面図。
【図２】逆巻きコイルの斜視図。
【図１】
2007521882.tif 000003
【図２】
2007521882.tif 000004
【国際調査報告】
2007521882.tif 000005
2007521882.tif 000006
2007521882.tif 000007
2007521882.tif 000008